(57)【要約】      （修正有） 【課題】蓋閉じした時の容器の気密性と、蒸気抜き孔の開閉不能と開閉誤差の生じない食品の保存と加熱用の蓋付き容器を提供する。【解決手段】上面開放の容器１と被せ閉じする蓋体２とからなり、蓋体は外周の被せ縁３の内側に取付板４に支持された柔軟なシール部材４ａを外折りして形成し、閉蓋時に柔軟なシール部材が容器の口縁内面に押し当たりして気密裡にシールするようにし、さらに蓋体の中心部に蒸気抜き孔５を有す凹部６と回転支軸８によって凹部内に嵌入し、凹部上に直立する上下回動型の小蓋体９を設け、小蓋体の内面に蒸気抜き孔に挿脱して蒸気抜き孔を開閉する突起１０を設け、且つ小蓋体の外面に保存日付のリング１１とその内側に回動する矢印１２を設ける。【選択図】図４
0003198952.tif 000002
【実用新案登録請求の範囲】
【請求項１】
電子レンジによる加熱と冷蔵庫内での冷蔵の可能な上面開放の容器と被せ縁を有す蓋体とからなり、該蓋体は被せ縁の内側に取付板を垂下周設し、該取付板の下端に一体または接着取付けにてなる柔軟なシール部材を外折り形成して、閉蓋時に容器の口縁内面に押し当てて気密裡にシールするようにし、さらに蓋体の中心部に蒸気抜き孔を有す凹部と回転支軸によって凹部内に嵌入し、凹部上に直立する上下回動型の小蓋体を設け、小蓋体の内面に蒸気抜き孔に挿脱して開閉する突起を設け、且つ小蓋体の外面に日付リングと回動する矢印を設けたことを特徴とする食品の保存と加熱用の蓋付き容器。
【請求項２】
容器と蓋体は陶器，磁器，ガラス，プラスチックのいずれかで且つ平面視円形，楕円形，四角形，矩形，多角形のいずれかにて形成する請求項１に記載の食品の保存と加熱用の蓋付き容器。
【請求項３】
容器の底下と蓋体の上面外周に嵌め止まりする凹凸を設けて積み重ね時のズレ動きを防止する請求項１または２に記載の食品の保存と加熱用の蓋付き容器。
【請求項４】
蓋体の凹部は回転支軸に相対する他端に小蓋体立ち上げ用の指掛け隙間を設ける請求項１乃至３のいずれかに記載の食品の保存と加熱用の蓋付き容器。
【請求項５】
蒸気抜き孔に挿脱する突起は基部を太、先部を細とする２段型にて形成する請求項１乃至４のいずれかに記載の食品の保存と加熱用の蓋付き容器。
【考案の詳細な説明】
【技術分野】
【０００１】
この考案は食品を冷蔵庫内にて冷蔵し、電子レンジにて加熱することができる蓋付き容器に関するものある。
【背景技術】
【０００２】
この種の容器としては実用新案登録第３０００６２５号公報がある。該公報は容器を開閉する蓋体の上面に回転式の蒸気抜き開閉機構と、食品の保存日を矢印で示す日付目盛とおよび低温と高温の変色表示部を設けたことを記載している。
【特許文献１】登録実用新案第３０００６２５号公報
【考案の開示】
【考案が解決しようとする課題】
【０００３】
しかしながら、該公報は蒸気抜きの開閉機構が蓋体上面の回転式のため、指先のすべりなどにより開閉誤差が生ずるおそれがあり、また蒸気の冷却固化、液分の付着などにより回転しなくなるおそれが生ずるという課題がある。
【０００４】
しかも蓋体と容器の間は気密手段がないために蓋閉じしたときに気密漏れが生じて食品の品質を劣化させ、保存期間を短くしているという課題がある。
【課題を解決するための手段】
【０００５】
本考案は、蓋体の被せ縁の内側に取付板に支えられた柔軟なシール部材を外折り形成して、閉蓋時に柔軟なシール部材が容器の口縁の内面に押し当たりして気密裡にシールするようにし、さらに蓋体は中心部に蒸気抜き孔を有す凹部を設け、回転支軸によって凹部内と凹部上を回転上下動する小蓋体に蒸気抜き孔に挿脱する突起を設けて小蓋体の起し立てと倒しにより蒸気抜き孔を開閉するようにして、上記した課題を解決するようにしたのである。
【考案の効果】
【０００６】
容器は蓋閉じした時に柔軟なシール部材が口縁の内面に押し当たりして気密漏れをなくすことで食品の品質の劣化を防止し、長期保存を可能にするという効果を生ずる。
【０００７】
蒸気抜き孔は小蓋体の起こし立てと倒しにより開閉するので、平面回転式と違って開閉忘れと開閉誤差がなく、また蒸気の冷却固化などによる開閉不能となることがなく、長期にわたり正確に作動し続けるという効果を生ずる。
【０００８】
柔軟なシール部材は取付板が支持することで容器を気密裡にシールするという効果を生ずる。
【０００９】
蒸気抜き孔を開閉する突起は基部を太、先部を細とする２段型としたので、気密閉じができるという効果を生ずる。
【００１０】
日付リングとその内側の矢印は蒸気抜き孔から離れた小蓋体の外面に設けたので、液汁等の付着による汚濁と回転不能が生じないという効果を生ずる。
【００１１】
容器の底下と蓋体の上面外周に嵌め止まりする凹凸を設けたので、蓋閉じした容器をズレ動きなしに安定して積み重ね置きすることができるという効果を生ずる。
【図面の簡単な説明】
【００１２】
【図１】第１実施例の容器と蓋体を閉蓋状態にて示す斜視図
【図２】同、蓋被せ前の状態にて示す縦断端面図
【図３】同、閉蓋した保存時の状態を示す縦断端面図
【図４】同、加熱時に小蓋体を回動直立させて蒸気抜き孔を開放した状態を示す縦断端面図
【図５】第２実施例の容器と蓋体を積み重ねした状態にて示す縦断端面図
【図６】容器と蓋体の他の形状を示すもので、（ａ）は楕円形、（ｂ）は四角形の例を示す斜視図
【考案を実施するための形態】
【００１３】
本考案は、電子レンジによる加熱と冷蔵庫内での冷蔵保存のできる上面開放の容器と被せ縁を有す蓋体とからなり、該蓋体は被せ縁の内側に一定の間隔を置いて取付板を垂下周設し、取付板の下端に一体または接着取付けにてなる柔軟なシール部材を外折り形成して、閉蓋時に柔軟なシール部材を容器の口縁内面に押し当てるようにして気密裡にシールし、さらに蓋体は中心部に蒸気抜き孔を有す凹部と回転支軸によって凹部内に嵌まり閉じ、凹部上に直立する上下回動型の小蓋体を設け、小蓋体の内面に蒸気抜き孔に挿脱する２段突起を設け、且つ小蓋体の外面に保存日付のリングとその内側に日付を指し示す矢印を回動自在に設けて、食品の保存と加熱用の蓋付き容器を構成する。
【実施例１】
【００１４】
図１乃至図４は本考案の第１実施例で、容器１は上面開放の椀鉢形をした陶器製でできているが、磁器製，耐熱ガラス製，耐熱プラスチックのいずれかの品質にて形成することもある。
【００１５】
蓋体２は耐熱性にすぐれて且つ保形力と柔軟性を併せ持つポリプロピレン等のプラスチックにてなり、外周に容器１の口縁上部に外被せする被せ縁３を有し、被せ縁３の内側に一定の間隔を置いて取付板４を垂下周設し、取付板４の下端全周に一体または接着取付けにて蓋体２の素材より柔軟なシリコンなどによるシール部材４ａを外折りして形成する。なお柔軟なシール部材４ａは容器１に蓋被せした際に容器１の口縁内面に一定の上下幅を以って押し当たる外曲がり長さを有している。
【００１６】
蓋体２は中心部に蒸気抜き孔５を有す浅い凹部６と、凹部６内の一側端壁に水平対向する軸受７ａ，７ｂを設け、軸受７ａ，７ｂ間に回転支軸８を嵌着して上下回動する小蓋体９を取付ける。小蓋体９の内面に下回動時に蒸気抜き孔５に挿し入り閉塞する基部を太、先部を細とする２段突起１０を設ける。５ａは蒸気抜き孔５と２段突起１０間に介在させた弾性リングである。
【００１７】
食品を常温保存および冷蔵庫内に入れて冷蔵保存するときは容器１を蓋体２の被せにより蓋閉じした後、小蓋体９を凹部６内に倒置して凹部６を閉じて２段突起１０にて蒸気抜き孔５を挿し閉じする。蒸気抜き孔５は図３に示すように基部を太、先部を細とする２段突起１０と弾性リング５ａにより気密裡に挿し閉じされることとなる。また小蓋体９の外面に設ける保存日付のリング１１の内側の矢印１２を回動して保存期間を指示確認して保存するのである。
【００１８】
蓋閉じすると、蓋体２の柔軟なシール部材４ａが容器１の口縁上部の内面に折れ曲がり圧接することで容器１と蓋体２間を気密漏れがなく、また、蒸気抜き孔５を２段突起１０により気密裡に挿し閉じすることで、容器１内の食品Ｓは品質の劣化がなく安定して長期保存することができることとなる。
【００１９】
電子レンジ（図示してない）により食品Sを加熱する時は、回転支軸８に相対する凹部６の他端に設けた指掛け隙間６ａに指掛けして小蓋体９を回動し直立させて２段突起１０を蒸気抜き孔５より引き抜いて蒸気抜き孔５を開放して行うのである。
【００２０】
食品Ｓを続けて保存するときは小蓋体９を下回動して凹部６内に嵌入して２段突起１０を蒸気抜き孔５に挿し閉じして保存するのである。
【実施例２】
【００２１】
図５は第２実施例で、容器１の底下１ａと蓋体２の上面外周に嵌め止まりする凹凸１３ａ，１３ｂを設けて、積み重ね時のズレ動きを防止して安定性を向上させるようにしたもので、その他の構成と作用効果は前例と同じである。
【実施例３】
【００２２】
図６は容器１と蓋体２の他の形状例を示すもので、（ａ）は平面視楕円形、（ｂ）は隅とり四角形に形成した例である。その他図示してないが矩形、五角形、八角形などの多角形のいずれかの形状にて容器１と蓋体２を形成することもある。
【産業上の利用可能性】
【００２３】
本考案は容器を気密裡に閉塞し、蒸気抜き孔の開閉不能と開閉に誤差が生じないことで、産業上広く利用されることとなる。
【符号の説明】
【００２４】
１は容器
１ａは容器の底下
２は蓋体
３は被せ縁
４は取付板
４ａはシール部材
５は蒸気抜き孔
５ａは弾性リング
６は凹部
７ａ，７ｂは軸受
８は回転支軸
９は小蓋体
１０は２段突起
１１は日付リング
１２は矢印
１３ａ，１３ｂは嵌め止まり用の凹凸
Ｓは食品
【図１】
0003198952.tif 000003
【図２】
0003198952.tif 000004
【図３】
0003198952.tif 000005
【図４】
0003198952.tif 000006
【図５】
0003198952.tif 000007
【図６】
0003198952.tif 000008